(57)【特許請求の範囲】
【請求項１】
(a)  フィラメントコイルと、
(b)  フィラメントコイルと導通するその一端には球形部が形成され、前記球形部から一体的に突出した棒状部の他端がモリブデン箔に接続された内部リード棒と、
(c)  球形部を含めた内部リード棒の一端部とフィラメントコイルの端部とを収納して、内部リード棒とフィラメントコイルとを接続する螺旋体であって、その一端部である太径部はフィラメントコイルに螺着され、他端部である小径部の内径は前記球形部の球径より小さく形成されており、前記棒状部が小径部から突出しているねじ込み用コイルとから構成されている事を特徴とするハロゲンランプ用マウント。
【請求項２】
(a)  発光管部とその端部に形成される封止部とから構成される外囲器と、
(b)  封止部に埋設されたモリブデン箔と、
(c)  発光管部内に配設されたフィラメントコイルと、
(d)  フィラメントコイルと導通するその一端には球形部が形成され、前記球形部から一体的に突出した棒状部の他端がモリブデン箔に接続された内部リード棒と、
(e)  球形部を含めた内部リード棒の一端部とフィラメントコイルの端部とを収納して、内部リード棒とフィラメントコイルとを接続する螺旋体であって、その一端部である太径部はフィラメントコイルに螺着され、他端部である小径部の内径は前記球形部の球径より小さく形成されており、前記棒状部が小径部から突出しているねじ込み用コイルと、
(f)  モリブデン箔に溶接され、封止部から導出されている外部リード棒とで構成されている事を特徴とするハロゲンランプ。
【発明の詳細な説明】
【０００１】
【発明の属する技術分野】
本発明は、先端に球体部を有する内部リード棒を用い、内部リード棒とフィラメント端部とをねじ込み用コイルで接続した新規なハロゲンランプ用マウントとそれを用いたハロゲンランプに関する。
【０００２】
【従来の技術】
従来のハロゲンランプ(B)のリード構造の一例を示すと、図５に示すように、螺旋状のフィラメントコイル(12)から引き出されたリード部分(14)が直接モリブデン箔(15)に接続されていた。処がフィラメントコイル(12)のリード部分(14)の中心軸(CL2)は、リード部分(14)がフィラメントコイル(12)から引き出されたものであるため、図６に示すようにフィラメントコイル(12)の中心軸(CL1)に対して傾いている事が多い。その状態でフィラメントコイル(12)のリード部分(14)をモリブデン箔(15)の中心軸(CL2)に合わせて溶接すると、モリブデン箔(15)の中心軸(CL2)もフィラメントコイル(12)の中心軸(CL1)からずれる事になる。
【０００３】
モリブデン箔(15)がずれたこのような従来のマウント(m1)を使用してハロゲンランプ(B)を組み立てると、ピンチシール時にモリブデン箔(15)の中心軸(CL2)が外囲器(16)の中心軸(CL3)に合うように強制的に移動させられる。その結果、フィラメントコイル(12)の中心軸(CL1)に対して傾斜していたリード部分(14)がモリブデン箔(15)の移動に合わせて曲げられ、大きく湾曲すると共にこの部分(14)にストレスが掛かり、同時に外観不良をも招いていた。
【０００４】
加えて、前記リード部分(14)は点灯時のハロゲンサイクルによって次第に腐食され、ついには断線に至る弱点部分でもあったため、リード部分(14)の線径を太くしたいという要望もあった。
【０００５】
【発明が解決しようとする課題】
本発明の解決課題は第１にリード部分が湾曲せず直線状でモリブデン箔の中央に溶接されて外観的に美しく、第２にリード部分にハロゲンサイクルによる腐食に耐えるだけの質量を持たせる事が出来るハロゲンランプ用マウントとそれを用いたハロゲンランプの開発にある。
【０００６】
【課題を解決するための手段】
「請求項１」に記載のハロゲンランプ用マウント(M)は、
(a)  フィラメントコイル(2)と、
(b)  フィラメントコイル(2)と導通するその一端には球形部(4a)が形成され、前記球形部(4a)から一体的に突出した棒状部(4b)の他端がモリブデン箔(5)に接続された内部リード棒(4)と、
(c)  球形部(4a)を含めた内部リード棒(4)の一端部とフィラメントコイル(2)の端部とを収納して、内部リード棒(4)とフィラメントコイル(2)とを接続する螺旋体であって、その一端部である太径部(3a)はフィラメントコイル(2)に螺着され、他端部である小径部(3b)の内径(W)は前記球形部(4a)の球径(S)より小さく形成されており、前記棒状部(4b)が小径部(3b)から突出しているねじ込み用コイル(3)とから構成されている事を特徴とする。
【０００７】
本発明のハロゲンランプ用マウント(M)によれば、内部リード棒(4)がフィラメントコイル(2)と独立した個別の部品でねじ込み用コイル(3)で取り付けられており、フィラメントコイル(2)の中心軸(CLa)に合致してフィラメントコイル(2)の端部から直線状に突出しているため、内部リード棒(4)の先端をモリブデン箔(5)の中心に溶接した場合、にフィラメントコイル(2)、内部リード棒(4)及びモリブデン箔(5)の３者の中心軸が自動的に中心軸(CLa)に合致するようになる。従って、外囲器(1)に本発明のハロゲンランプ用マウント(M)を組み込んだ場合、従来のようにリード部分(14)がモリブデン箔(15)との接続部で曲がって外観を損なうという事がない。
【０００８】
また従来のリード構造ではリード部分(14)がフィラメントコイル(2)から引き出された一体物であったため、リード部分(14)の線径はフィラメントコイル(2)の線径と同じで細く、点灯時のハロゲンサイクルの腐食で断線することがあったたが、本発明によれば内部リード棒(4)を別個の部品で構成できるので、その線径をフィラメントコイル(2)の線径よりも遙かに太い中実体とする事が出来、内部リード棒(4)の腐食対策にも有効である。
【０００９】
「請求項２」は前記マウント(M)を使用したハロゲンランプ(A)に関し、
(a)  発光管部(1a)とその端部に形成される封止部(1b)とから構成される外囲器(1)と、
(b)  封止部(1b)に埋設されたモリブデン箔(5)と、
(c)  発光管部(1a)内に配設されたフィラメントコイル(2)と、
(d)  フィラメントコイル(2)と導通するその一端には球形部(4a)が形成され、前記球形部(4a)から一体的に突出した棒状部(4b)の他端がモリブデン箔(5)に接続された内部リード棒(4)と、
(e)  球形部(4a)を含めた内部リード棒(4)の一端部とフィラメントコイル(2)の端部とを収納して、内部リード棒(4)とフィラメントコイル(2)とを接続する螺旋体であって、その一端部である太径部(3a)はフィラメントコイル(2)に螺着され、他端部である小径部(3b)の内径(W)は前記球形部(4a)の球径(S)より小さく形成されており、前記棒状部(4b)が小径部(3b)から突出しているねじ込み用コイル(3)と、
(f)  モリブデン箔(5)に溶接され、封止部(1b)から導出されている外部リード棒(6)とで構成されている事を特徴とする。
【００１０】
【発明の実施の形態】
本発明のハロゲンランプ(A)を実施例に従って説明する。本実施例の基本構成は図１に示すように、外囲器(1)、フィラメントコイル(2)、ねじ込み用コイル(3)、内部リード棒(4)、モリブデン箔(5)及び外部リード棒(6)とで構成されている。外囲器(1)は石英ガラスで構成され、発光管部(1a)と、その両端部に連続して一体に形成される封止部(1b)とから構成されている。
【００１１】
本実施例で使用するマウント(M)は、フィラメントコイル(2)、その両端に配設された内部リード棒(4)及び内部リード棒(4)とフィラメントコイル(2)の端部とを接続するねじ込み用コイル(3)、内部リード棒(4)の棒状部(4b)の端部に溶接されたモリブデン箔(5)及びモリブデン箔(5)の端部に溶接された外部リード棒(6)とで構成されている。
【００１２】
内部リード棒(4)はタングステンの中実体で、その一端には球形部(4a)が形成され、前記球形部(4a)から棒状部(4b)が一体に突出している。棒状部(4b)の直径はフィラメントコイル(2)の線径より遙かに太く形成されている。内部リード棒(4)の球形部(4a)の直径(S)は、本実施例ではフィラメントコイル(2)の内径より太く形成されており、フィラメントコイル(2)の端部に接触するように配設されている。勿論、フィラメントコイル(2)の内径より細くして球形部(4a)がフィラメントコイル(2)内に入り込むようになっていてもよい。
【００１３】
ねじ込み用コイル(3)は、中実のタングステン線を螺旋状に巻いたもので、その一端部が太径に、他端部が細径に巻設されており、前記一端部を太径部(3a)、前記他端部を小径部(3b)とする。太径部(3a)の内径は前記球形部(4a)の外径より若干太く、球形部(4a)が太径部(3a)内にすっぽりと収納されるようになっている。加えて図４に示すように太径部(3a)の螺旋ピッチとフィラメントコイル(2)の螺旋ピッチ、太径部(3a)の内径とフィラメントコイル(2)の外径とは互いに螺合し得るような寸法構成となっている。
【００１４】
ねじ込み用コイル(3)の小径部(3b)の内径は、内部リード棒(4)の球形部(4a)より小さく、棒状部(4b)より大きい。従って、内部リード棒(4)の球形部(4a)をねじ込み用コイル(3)の太径部(3a)内に挿入した場合、棒状部(4b)が小径部(3b)から突出し且つ球形部(4a)が小径部(3b)の内側に係合する。
【００１５】
次に、本発明のマウント(M)の組立方法に付いて説明する。まず、内部リード棒(4)をねじ込み用コイル(3)に挿入し、棒状部(4b)を小径部(3b)から突出させ且つ球形部(4a)を小径部(3b)の内側に係合する。この状態でフィラメントコイル(2)の端部をねじ込み用コイル(3)の太径部(3a)内に螺入し、内部リード棒(4)とフィラメントコイル(2)とを接続する。
【００１６】
この時、内部リード棒(4)の球形部(4a)にフィラメントコイル(2)の端部が接触するまで挿入する事が望ましいが、ねじ込み用コイル(3)を介してフィラメントコイル(2)と内部リード棒(4)の導通が取れておれば必ずしも接触していなくても構わない。これにより内部リード棒(4)の棒状部(4b)はフィラメントコイル(2)の中心軸(CLa)に一致し且つ直線状に延びた状態となる。次に、内部リード棒(4)の棒状部(4b)と外部リード棒(6)とをモリブデン箔(5)の端部の中心位置に溶接する。これにより、フィラメントコイル(2)の両端の内部リード棒(4)、モリブデン箔(5)及び外部リード棒(6)は１つの中心軸(CLa)上に一致して一直線状になる。
【００１７】
次に、前記マウント(M)を使用してハロゲンランプ(A)を組み立てる方法に付いて簡単に説明する。所定の寸法に切断された石英ガラス管内に前記マウント(M)を挿入し、窒素又はアルゴンガスのような不活性ガスを石英ガラス管に通流させながらその一端を加熱軟化させ、ピンチシールを行い、第１のピンチシール部(1b)内に一方のモリブデン箔(5)を埋入する。次に、マウント(M)に若干の張力を与えながら石英ガラス管の他端を加熱軟化させ、前記同様ピンチシールを行い、第２のピンチシール部(1b)内に他方のモリブデン箔(5)を埋入する。
【００１８】
最後に、発光管部(1)に連通して接続されている図示していないチップ管から必要ハロゲン化物や必要ガスを必要量充填し、チップ管をその根元から封切する。(7)はチップ管の封切跡である。
【００１９】
以上のようにしてハロゲンランプ(A)を組み立てるのであるが、前述のようにマウント(M)は一直線状に組み立てられているので、ピンチシール時にモリブデン箔(5)がピンチシール部(1b)の中心軸(CLa)に一致するようにピンチシールされたとしても前記直線状態は崩れることがない。
【００２０】
万が一、マウント(M)の内部リード棒(4)が組立作業中に何らかの原因でフィラメントコイル(2)に対して曲がることがあったとしてたも、内部リード棒(4)は球体部(4a)にてフィラメントコイル(2)と接続されているためある程度自由に方向を変える事が出来、作業者が外部リード棒(6)を軽く引っ張ることで再度直線状に矯正する事ができるし、前述のようにピンチシール時にマウント(M)に僅かながらの張力を与える事でも矯正は可能である。
【００２１】
このように組み立てられたハロゲンランプ(A)を点灯するとハロゲンサイクルが生じ、フィラメントコイル(2)や内部リード棒(4)は徐々に腐食されていくが、最も腐食されやすいリード部分は太い棒状部(4b)で構成されているので、点灯中に断線するような事はない。
【００２２】
【発明の効果】
本発明のハロゲンランプのマウントは、フィラメントコイルから独立した別個の部品である内部リード棒と、フィラメントコイルとを接続するねじ込み用コイルとで組み立てるようになっているので、内部リード棒をフィラメントコイルの中心軸に一致させて組み立てる事並びにその状態を保ってピンチシールする事が出来、リード部分を構成する内部リード棒の棒状部が直線状態でモリブデン箔に接続され、美しい外観を呈する事になる。更にリード部分を構成する前記棒状部の線径を大きくすることができるので、点灯時のハロゲンサイクルによる腐食に耐える事が出来、点灯中の断線事故をなくす事が出来る。
【図面の簡単な説明】
【図１】本発明の実施例のハロゲンランプの正断面図
【図２】本発明の実施例のフィラメントコイル、内部リード棒及びねじ込み用コイルのの接合前の拡大正面図
【図３】図２の部材の接合状態の拡大正面図
【図４】図３の接合部分の拡大断面図
【図５】従来のハロゲンランプの正断面図
【図６】従来のリード構造の拡大正面図
【符号の説明】
(A)…ハロゲンランプ
(1)…外囲器
(1a)…発光管部
(1b)…封止部
(2)…フィラメントコイル
(3)…ねじ込み用コイル
(3a)…太径一端部
(3b)…細径他端部
(4)…内部リード棒
(4a)…球形部
(4b)…棒状部
(5)…モリブデン箔
【図１】
0004267176.tif 000002
【図２】
0004267176.tif 000003
【図３】
0004267176.tif 000004
【図４】
0004267176.tif 000005
【図５】
0004267176.tif 000006
【図６】
0004267176.tif 000007